(57)【要約】【課題】尿素水配管が、供給経路と戻り経路とが同一経路を形成する１本の配管から成るものにあって、尿素水ポンプの始動に際して、尿素水ポンプから吐出された尿素水をインジェクタの析出した尿素結晶に染み込ませるようにする。【解決手段】本発明は、尿素水タンク１１とインジェクタ１５を連絡する尿素水配管１６が１本の配管から成り、尿素水配管１６は、インジェクタ１５を起点として上流に向かって緩やかに下降し、最下部となる第１高さ部Ａを有し、インジェクタ１５からの寸法が第１所定長さ寸法Ｌ１の第１配管部分１６ａと、第１配管部分１６ａの第１高さ部Ａを起点として尿素水ポンプ１１方向である上流側に向って上昇し、第１高さ部Ａよりも高い最上部となる第２高さ部Ｂを有し、インジェクタ１５からの寸法が第１所定長さ寸法Ｌ１よりも長い第２所定長さ寸法Ｌ２の第２配管部分１６ｂとを含む屈曲形状に形成してある。【選択図】図３
2015206299.tif 000002
【特許請求の範囲】
【請求項１】
振動が与えられる車体上に配置され、尿素水が収容される尿素水タンクと、この尿素水タンクに収容された尿素水を吸い込む尿素水ポンプと、この尿素水ポンプから供給された尿素水を、選択還元触媒が収容されたエンジンの排気ガス経路内に還元剤として噴射するインジェクタと、上記尿素水ポンプと上記インジェクタとを連絡し、上記インジェクタに尿素水を供給する供給経路と上記インジェクタからの尿素水を上記尿素水ポンプに引き戻す戻り経路とを有する尿素水配管とを備えた尿素水供給システムにおいて、
上記尿素水配管は、上記供給経路と上記戻り経路とが同一経路を形成する１本の配管かる成るとともに、
上記尿素水配管は、
上記インジェクタを起点として上記尿素水ポンプ方向である上流側に向うに従って、水平面に対して第１所定角度を形成するように緩やかに下降し、上記インジェクタの近傍位置であって上記インジェクタから第１所定長さ寸法の位置に最下部を形成する第１高さ部を有する第１配管部分と、
上記第１配管部分の上記第１高さ部を起点として上記尿素水ポンプ方向である上流側に向うに従って、水平面に対して上記第１所定角度よりも大きい第２所定角度を形成するように上昇し、上記インジェクタから上記第１所定長さ寸法よりも長い第２所定長さ寸法の位置であって、上記第１配管部分の上記第１高さ部よりも高い最上部を形成する第２高さ部を有する第２配管部分とを含み、
前記第２高さ部と前記尿素水ポンプとを連絡する配管部分も含めて全体を屈曲形状に形成し、
上記第２所定長さ寸法を、上記尿素水配管の全体の長さ寸法から、上記尿素水ポンプの所定の吐出圧力に応じて、上記インジェクタの噴射口に尿素結晶が析出した状態での上記尿素水ポンプの始動時における上記尿素水ポンプからの尿素水を、上記第２配管部分の上記第２高さ部まで供給する上記尿素水配管の長さ部分を引いた長さ寸法に略等しく設定し、
上記第１所定角度及び上記第１所定長さ寸法は、上記インジェクタの噴射口に尿素結晶が析出した状態での上記尿素水ポンプの始動後における上記第１配管部分の上記第１高さ部に溜まった尿素水の、上記インジェクタの噴射口に析出した上記尿素結晶への染み込ませを可能にする数値に設定したことを特徴とする尿素水供給システム。
【請求項２】
請求項１に記載の尿素水供給システムにおいて、
上記尿素水配管を温める加温手段を備えたことを特徴とする尿素水供給システム。
【請求項３】
請求項２に記載の尿素水供給システムにおいて、
当該尿素水供給システムを、走行体、この走行体上に配置され上記車体を構成する旋回体、及びこの旋回体に取り付けられる作業装置を有する油圧ショベルに設け、
上記インジェクタ、及び上記尿素水配管を、上記エンジンが収納される上記旋回体のエンジン室内に配置し、
上記尿素水タンクもしくは上記尿素水ポンプを、上記エンジン室とは異なる上記旋回体の箇所に配置し、
上記尿素水配管は、樹脂製のホースから成ることを特徴とする尿素水供給システム。
【発明の詳細な説明】
【技術分野】
【０００１】
本発明は、油圧ショベルなどの建設機械や自動車等に設けられ、エンジンの排気ガス経路内に選択還元触媒（ＳＣＲ）に対する還元剤として尿素水を噴射するようにした尿素水供給システムに関する。
【背景技術】
【０００２】
この種の従来技術として特許文献１に示されるものがある。この従来技術は、尿素水が収容される尿素水タンクと、この尿素水タンクに収容された尿素水を吸い込む尿素水ポンプと、この尿素水ポンプから供給された尿素水を選択還元触媒（ＳＣＲ）が収容されたエンジンの排気ガス経路内に還元剤として噴射するインジェクタとを備えている。また、この従来技術は、尿素水ポンプとインジェクタとを連絡し、インジェクタに尿素水ポンプから吐出された尿素水を供給する供給経路と、インジェクタに溜まっている尿素水を尿素水ポンプに引き戻す戻り経路とを有する尿素水配管を備えている。
【０００３】
インジェクタからエンジンの排気ガス経路内に尿素水を噴射することにより、選択還元触媒において排気ガス中のＮＯｘが無害なＮ２（窒素）とＨ２Ｏ（水）に分解されるようになっている。
【０００４】
ところで、エンジンを稼働し尿素水ポンプを駆動して、インジェクタから尿素水を噴射している状態から、エンジンを停止し、尿素水ポンプをそれまでとは逆転させてインジェクタから尿素水ポンプに尿素水を引き戻す際に、インジェクタ部分の高温環境によって尿素水中の水分が蒸発し、インジェクタの噴射口に尿素結晶が析出する現象が生じる。
【先行技術文献】
【特許文献】
【０００５】
【特許文献１】特開２０１３−１７０５６９号公報
【発明の概要】
【発明が解決しようとする課題】
【０００６】
上述したインジェクタにおける尿素結晶の析出は、通常避けることができない。ここで、尿素水ポンプとインジェクタとを連絡する尿素水配管が、インジェクタに尿素水ポンプから吐出された尿素水を供給する供給経路を形成する供給配管と、この供給配管とは別体に設けられ、インジェクタに溜まった尿素水を尿素水ポンプに戻す戻り経路を形成する戻り配管とから成り、尿素水ポンプ、供給配管、インジェクタ、及び戻り配管等によって循環経路を形成する場合には、インジェクタに尿素結晶が析出しても問題にはならない。すなわち、インジェクタに尿素結晶が析出した状態における尿素水ポンプの始動に際して、尿素水ポンプから所定の吐出圧力で尿素水が吐出されたときに、供給管路、戻り管路内の空気の流動にともなって、尿素水がインジェクタの析出した尿素結晶に染み込み、これにより尿素結晶を溶かしてインジェクタの噴射口を開き、尿素水ポンプから吐出された尿素水をインジェクタからエンジンの排気ガス経路に噴射させることができる。
【０００７】
しかしながら、昨今、配管コストの低減や、車体上のレイアウト等を考慮して、尿素水の供給経路と戻り経路を１つの配管で済ませることが考えられている。すなわち、尿素水ポンプとインジェクタとを連絡する尿素水配管を、供給経路と戻り経路とが同一経路を形成する１本の配管によって構成することが考えられている。
【０００８】
このように尿素水ポンプとインジェクタとを１本の配管から成る尿素水配管によって連絡する構成とする場合には、上述のようにエンジンの停止に伴ってインジェクタの噴出口を塞ぐように尿素結晶が析出した状態では、エンジンの再始動に伴う尿素水ポンプの始動時に、尿素水ポンプから吐出された尿素水は、尿素水ポンプの吐出圧力と、尿素水配管内に存在する圧縮された空気とがバランスする位置までしか供給されなくなる虞がある。すなわち、尿素水がインジェクタの析出した尿素結晶の位置まで至らず、尿素結晶によってインジェクタの噴射口が塞がれた状態が続いてしまう虞がある。
【０００９】
本発明は、上述した従来技術における実情からなされたもので、その目的は、尿素水ポンプとインジェクタとを連絡する尿素水配管が、供給経路と戻り経路とが同一経路を形成する１本の配管から成るものにあって、尿素水ポンプの始動に際して、尿素水ポンプから吐出された尿素水をインジェクタの析出した尿素結晶に染み込ませることができる尿素水供給システムを提供することにある。
【課題を解決するための手段】
【００１０】
この目的を達成するために、本発明は、振動が与えられる車体上に配置され、尿素水が収容される尿素水タンクと、この尿素水タンクに収容された尿素水を吸い込む尿素水ポンプと、この尿素水ポンプから供給された尿素水を、選択還元触媒が収容されたエンジンの排気ガス経路内に還元剤として噴射するインジェクタと、上記尿素水ポンプと上記インジェクタとを連絡し、上記インジェクタに尿素水を供給する供給経路と上記インジェクタからの尿素水を上記尿素水ポンプに引き戻す戻り経路とを有する尿素水配管とを備えた尿素水供給システムにおいて、上記尿素水配管は、上記供給経路と上記戻り経路とが同一経路を形成する１本の配管かる成るとともに、上記尿素水配管は、上記インジェクタを起点として上記尿素水ポンプ方向である上流側に向うに従って、水平面に対して第１所定角度を形成するように緩やかに下降し、上記インジェクタの近傍位置であって上記インジェクタから第１所定長さ寸法の位置に最下部を形成する第１高さ部を有する第１配管部分と、上記第１配管部分の上記第１高さ部を起点として上記尿素水ポンプ方向である上流側に向うに従って、水平面に対して上記第１所定角度よりも大きい第２所定角度を形成するように上昇し、上記インジェクタから上記第１所定長さ寸法よりも長い第２所定長さ寸法の位置であって、上記第１配管部分の上記第１高さ部よりも高い最上部を形成する第２高さ部を有する第２配管部分とを含み、前記第２高さ部と前記尿素水ポンプとを連絡する配管部分も含めて全体を屈曲形状に形成し、上記第２所定長さ寸法を、上記尿素水配管の全体の長さ寸法から、上記尿素水ポンプの所定の吐出圧力に応じて、上記インジェクタの噴射口に尿素結晶が析出した状態での上記尿素水ポンプの始動時における上記尿素水ポンプからの尿素水を、上記第２配管部分の上記第２高さ部まで供給する上記尿素水配管の長さ部分を引いた長さ寸法に略等しく設定し、上記第１所定角度及び上記第１所定長さ寸法は、上記インジェクタの噴射口に尿素結晶が析出した状態での上記尿素水ポンプの始動後における上記第１配管部分の上記第１高さ部に溜まった尿素水の、上記インジェクタの噴射口に析出した上記尿素結晶への染み込ませを可能にする数値に設定したことを特徴としている。
【００１１】
このように構成した本発明は、インジェクタに尿素結晶が析出している状態におけるエンジンの再始動に伴う尿素水ポンプの始動に際して、尿素水ポンプの所定の吐出圧力と、尿素水配管に存在する圧縮空気とのバランスにより、尿素水ポンプから吐出された尿素水を尿素水配管の第２配管部分の第２高さ部まで供給することができる。ここで車体に与えられる振動により、第２高さ部に至った尿素水は、水平面に対して比較的大きい第２角度に保持されている第２配管部分の内壁を伝わって自重により速めに下降し、第１配管部分の第１高さ部に溜まる。この間、第２配管部分内に存在していた空気は、尿素水配管の内壁を伝わって下降する尿素水とその位置を入れ換えながら一部第２高さ部方向に移動する。
【００１２】
引き続き、第２配管部分の第２高さ部から第２配管部分の内壁を伝わって尿素水が第１高さ部まで下降し、この第２高さ部に溜まる尿素水の量が多くなり、第１配管部分及び第２配管部分を塞ぐようになると、第１高さ部に溜まっていた尿素水が、尿素水ポンプから吐出される尿素水によって押圧される空気によって、水平面に対して緩やかな第１所定角度に保持されている第１配管部分の内壁を伝わってインジェクタ方向へ押し上げられ、インジェクタの析出した尿素結晶に染み込むようになる。
【００１３】
すなわち本発明は、尿素水配管の屈曲形態と、車体に与えられる振動により、尿素水ポンプとインジェクタとを連絡する尿素水配管が、供給管路と戻り経路とが同一経路を形成する１本の配管から成るものにあって、エンジンの再始動に伴う尿素水ポンプの始動に際して、尿素水ポンプから吐出された尿素水をインジェクタの析出した尿素結晶に染み込ませることができる。これにより本発明は、インジェクタの析出した尿素結晶を溶かし、析出した尿素結晶によってインジェクタの塞がれ傾向にあった噴射口を開くことができる。
【００１４】
また本発明は、尿素水配管の第１配管部分をインジェクタを起点として上流に向かって緩やかに下降して第１高さ部を最下部とする形態としたことから、エンジン停止時にインジェクタ付近に尿素水が存在する場合には、その尿素水を第１高さ部方向に自重で下降させることができる。
【００１５】
また本発明は、尿素水配管を屈曲形状に形成したことから、尿素水ポンプとインジェクタの間隔を縮めることができる。
【００１６】
また本発明は、上記発明において、上記尿素水配管を温める加温手段を備えたことを特徴としている。
【００１７】
このように構成した本発明は、寒冷地において尿素水配管に凍結した尿素水を温めて解凍することができ、尿素水ポンプの始動時に尿素水を吐出させる際に、凍結した尿素水の影響を受けずに、尿素水をインジェクタの析出した尿素結晶に染み込ませることができる。
【００１８】
また本発明は、当該尿素水供給システムを、走行体、この走行体上に配置され上記車体を構成する旋回体、及びこの旋回体に取り付けられる作業装置を有する油圧ショベルに設け、上記インジェクタ、及び上記尿素水配管を、上記エンジンが収納される上記旋回体のエンジン室内に配置し、上記尿素水タンクもしくは上記尿素水ポンプを、上記エンジン室とは異なる上記旋回体の箇所に配置し、上記尿素水配管は、樹脂製のホースから成ることを特徴としている。
【００１９】
このように構成した本発明は、油圧ショベルの走行、作業装置による作業に伴って旋回体に与えられる振動により、尿素水配管の第２配管部分の第２高さ部に至った尿素水ポンプから吐出された尿素水を、第２配管部分の内壁を介して第１配管部分の第１高さ部方向へ下降させることができる。また、尿素水配管が樹脂製のホースであることから、第１高さ部を有し、第１所定長さ寸法の第１配管部分、及び第２高さ部を有し、第２所定長さ寸法の第２配管部分を容易に形成することができる。
【発明の効果】
【００２０】
本発明は、尿素水ポンプとインジェクタとを連絡する尿素水配管を、インジェクタから上流に向かって緩やかに下降し、最下部を形成する第１高さ部を有する第１配管部分と、インジェクタに尿素結晶が析出した状態における尿素水ポンプの始動に際して、尿素水ポンプから吐出された尿素水の供給可能な位置である第２高さ部を有し、第１配管部分の第１高さ部に連通する第２配管部分を含む屈曲形状に形成したことから、尿素水ポンプとインジェクタとを連絡する尿素水配管が、供給経路と戻り経路とが同一経路を形成する１本の配管から成るものにあって、尿素水ポンプの始動に際して、尿素水ポンプから吐出された尿素水をインジェクタの析出した尿素結晶に染み込ませることができる。これにより本発明は、インジェクタの尿素結晶を溶かし、インジェクタの塞がれ傾向にあった噴射口を開くことができ、インジェクタからエンジンの排気ガス経路に尿素水を噴射させることができる。
【００２１】
また本発明は、エンジン停止時に、インジェクタ付近に尿素水が存在する場合には、その尿素水を第１配管部分の第１高さ部方向に自重で下降させることができる。これにより、寒冷地にあってインジェクタ付近に尿素水が溜まって凍結することを防止できる。
【００２２】
また本発明は、尿素水配管を屈曲形状に形成することにより、尿素水ポンプとインジェクタの間隔を縮めることができる。これにより、尿素水ポンプと尿素水配管とインジェクタとを含む部分をコンパクトな構成とすることができる。
【図面の簡単な説明】
【００２３】
【図１】本発明に係る尿素水供給システムの第１実施形態が設けられる油圧ショベルを示す側面図である。
【図２】第１実施形態に係る尿素水供給システムの概略構成を示すブロック図である。
【図３】図２の要部拡大図である。
【図４】第１実施形態の動作を説明する図で、エンジン稼働中のインジェクタによる尿素水の噴射状態を示す図である。
【図５】第１実施形態の動作を説明する図で、エンジン停止に伴って実施されるバックフロー制御により、尿素水ポンプが尿素水を引き戻した状態を示す図である。
【図６】第１実施形態の動作を説明する図で、エンジンの再始動に伴う尿素水ポンプの始動時の状態を示す図である。
【図７】第１実施形態の動作を説明する図で、図６に示す状態から尿素水配管に振動が与えられたときの状態を示す図である。
【図８】第１実施形態の動作を説明する図で、図７に示す状態から変化して、第１配管部分の第１高さ部に尿素水が溜まったときの状態を示す図である。
【図９】第１実施形態の動作を説明する図で、図８に示す状態から変化して、第１高さ部に溜まっていた尿素水がインジェクタにおいて析出した尿素結晶に接触する直前の状態を示す図である。
【図１０】第１実施形態の動作を説明する図で、図９に示す状態から変化して、インジェクタにおいて析出した尿素結晶に第１高さ部に溜まっていた尿素水が染み込んだ状態を示す図である。
【図１１】第１実施形態の動作を説明する図で、図１０に示す状態から変化して、尿素水ポンプから吐出された尿素水がエンジンの排気ガス経路内に噴射された状態を示す図である。
【図１２】第１実施形態の動作を説明する図で、エンジンの再始動に伴う尿素水ポンプの始動時に、第１配管部分の第１高さ部に尿素水が溜まっているときの状態を示す図である。
【図１３】第１実施形態の動作を説明する図で、図１２に示す状態から変化して、第１高さ部に溜まっていた尿素水がインジェクタにおいて析出した尿素結晶に接触する直前の状態を示す図である。
【図１４】第１実施形態の動作を説明する図で、図３に示す状態から変化して、インジェクタにおいて析出した尿素結晶に第１高さ部に溜まっていた尿素水が染み込んだ状態を示す図である。
【図１５】第１実施形態の動作を説明する図で、図１４に示す状態から変化して、尿素水ポンプから吐出された尿素水がエンジンの排気ガス経路内に噴射された状態を示す図である。
【図１６】本発明の第２実施形態の概略構成を示すブロック図である。
【図１７】本発明の第３実施形態の概略構成を示すブロック図である。
【発明を実施するための形態】
【００２４】
以下、本発明に係る尿素水供給システムの実施の形態を図面に基づいて説明する。
【００２５】
本発明に係る尿素水供給システムの第１実施形態は、例えば油圧ショベルに設けられている。図１に示すように、油圧ショベルは、走行体１と、この走行体１上に配置され、振動が与えられる車体を構成する旋回体２と、この旋回体２に上下方向の回動可能に取り付けられた作業装置３とを備えている。
【００２６】
旋回体２上の前側位置には運転室７が配置され、後側位置にはカウンタウェイト８を配置してある。運転室７とカウンタウェイト８との間に位置する旋回体２上には、エンジン室９を配置してある。
【００２７】
図１に示す油圧ショベルに設けられる第１実施形態に係る尿素水供給システムは、図２，３に示すように、尿素水タンク１０と、この尿素水タンク１０に収容された尿素水を吸い込む尿素水ポンプ１１と、この尿素水ポンプ１１から供給された尿素水が還元剤として供給される選択還元触媒（ＳＣＲ）１２ａが収容された後処理装置１２と、この後処理装置１２とエンジン１３とを連絡する排気ガス経路１４内に尿素水を噴射するインジェクタ１５とを備えている。尿素水タンク１０と尿素水ポンプ１１とは、供給管路３０ａと戻し管路３０ｂとによって接続されている。
【００２８】
また第１実施形態は、尿素水ポンプ１１とインジェクタ１５とを連絡し、インジェクタ１５に尿素水を供給する供給経路と、インジェクタ１５からの尿素水を尿素水ポンプ１１に引き戻す戻り経路とを有する尿素水配管１６を備えている。この尿素水配管１６は、供給経路と戻り経路とが同一経路を形成する１本の例えば樹脂製のホースから成っている。
【００２９】
尿素水配管１６は、インジェクタ１５を起点として尿素水ポンプ１１方向である上流側に向うに従って、水平面に対して第１所定角度αを形成するように緩やかに下降し、インジェクタ１５の近傍位置にあってインジェクタ１５から第１所定長さＬ１の位置に最下部を形成する第１高さ部Ａを有する第１配管部分１６ａを含んでいる。
【００３０】
また、この尿素水配管１６は、第１配管部分１６ａの第１高さ部Ａを起点として尿素水ポンプ１１方向である上流側に向うに従って、水平面に対して第１所定角度αよりも大きい第２所定角度βを形成するように上昇し、インジェクタ１５から第１所定長さ寸法Ｌ１よりも長い第２所定長さ寸法Ｌ２の位置であって、第１配管部分１６ａの第１高さ部Ａよりも高い最上部を形成する第２高さ部Ｂを有する第２配管部分１６ｂを含んでいる。このように、尿素水配管１６は、第１配管部分１６及び第２配管部分１６ｂと、第２高さ部Ｂと尿素水ポンプ１１とを連絡する配管部分とを含めて全体を屈曲形状に形成してある。
【００３１】
インジェクタ１５から第２配管部分１６ｂの第２高さ部Ｂまでの第２所定長さ寸法Ｌ２は、尿素水配管１６の全体の長さ寸法から、尿素水ポンプ１１の所定の吐出圧力に応じて、インジェクタ１５の噴射口に尿素結晶が析出した状態での尿素水ポンプ１１の始動時における尿素水ポンプ１１からの尿素水を、第２配管部分１６ｂの第２高さ部Ｂまで供給する尿素水配管１６の長さ部分を引いた長さ寸法に略等しく設定してある。
【００３２】
第１所定角度α及び第１所定長さ寸法Ｌ１は、インジェクタ１５の噴射口に尿素結晶が析出した状態での尿素水ポンプ１１の始動後における第１配管部分１６ａの第１高さ部Ａに溜まった尿素水の、インジェクタ１５の噴射口に析出した尿素結晶への染み込ませを可能にする数値に設定してある。
【００３３】
上述した尿素水ポンプ１１、インジェクタ１５、及び尿素水配管１６は、エンジン１３が収納される旋回体２のエンジン室９内に配置してある。尿素水タンク１０は、エンジン室９とは異なる旋回体２の箇所、例えば運転室７の横方向に配置される図示しない工具箱内に配置してある。なお、尿素水ポンプ１１をエンジン室９内でなく、エンジン室９とは異なる旋回体２の箇所に配置するようにしてもよい。
【００３４】
このように構成した第１実施形態に係る尿素水供給システムは、図４に示すように、エンジン１３を稼働させて尿素水ポンプ１１を駆動させている状態にあっては、尿素水ポンプ１１から吐出された尿素水２６が、第２配管部分１６ｂ及び第１配管部分１６ａを含む尿素水配管１６によってインジェクタ１５に導かれ、このインジェクタ１５から排気ガス経路１４内に噴射される。これにより上述したように選択還元触媒１２ａにおいて、排気ガス中のＮＯｘが無害なＮ２（窒素）とＨ２Ｏ（水）に分解される。
【００３５】
また、エンジン１３の停止時には、尿素水ポンプ１１が逆転駆動されるバックフロー制御が行われ、図５に示すように、インジェクタ１５及び尿素水配管１６内の尿素水２６を尿素水ポンプ１１に引き戻す操作が行われる。このとき、インジェクタ１５部分の高温環境により、同図５に示すように、尿素水２６中の水分が蒸発し、インジェクタ１５に尿素結晶２５が析出する。したがってインジェクタ１５の噴射口は、析出した尿素結晶２５によって塞がれ傾向となる。
【００３６】
ここで、尿素水配管１６内の尿素水２６を尿素水ポンプ１１に引き戻した後に、第１配管部分１６の第１高さ部Ａに尿素水２６が溜まらない状態となる第１の場合の第１実施形態における処理動作を図６〜１１を用いて説明し、第１配管部分１６ａの第１高さ部Ａに尿素水２６が溜まる状態となる第２の場合の第１実施形態における処理動作を図１２〜１５を用いて説明する。
【００３７】
〔第１高さ部Ａに尿素水２６が溜まらない状態となる第１の場合の処理動作〕
エンジン１３を再始動し、尿素水ポンプ１１を始動させると、尿素水ポンプ１１の所定の吐出圧力により尿素水ポンプ１１から吐出された尿素水２６は、尿素水配管１６の第１配管部分１６ａ、第２配管部分１６ｂ、及びインジェクタ１５内に存在している空気２７を圧縮させながら図６に示すように、尿素水配管１６の第２配管部分１６ｂの最上部を形成する第２高さ部Ｂまで供給される。
【００３８】
この状態において、当該油圧ショベルが走行したり、作業装置３による作業が実施されて旋回体２に振動が与えられると、第２高さ部Ｂに至った尿素水２６は、水平面に対して比較的大きい第２所定角度βに保持されている第２配管部分１６の内壁を伝わって自重により図７に示すように速めに下降し、第１配管部分１６ａの第１高さ部Ａに溜まる。この間、同図７に示すように、第２配管部分１６ｂ内に存在していた空気２７は、尿素水配管１６の内壁を伝わって下降する尿素水２６とその位置を入れ換えながら、一部第２高さ部Ｂ方向へ移動する。
【００３９】
引き続き、第２配管部分１６ｂの第２高さ部Ｂから第２配管部分１６ｂの内壁を伝わって尿素水２６が第１高さ部Ａまで下降し、この第１高さ部Ａに溜まる尿素水２６の量が多くなり、図８に示すように、第２配管部分１６ｂ、第１配管部分１６ａの管路を塞ぐようになると、図９に示すように、第１高さ部Ａに溜まっていた尿素水２６が尿素水ポンプ１１から吐出される尿素水２６によって押圧される空気２７によって、水平面に対して緩やかな第１所定角度αに保持されている第１配管部分１６ａの内壁を伝わってインジェクタ１５方向に押し上げられる。これにより図１０に示すように、インジェクタ１５において、析出した尿素結晶２５に尿素水２６が染み込む染み込み部２５ａが形成され、尿素結晶２５が溶かされ、インジェクタ１５の塞がれ傾向にあった噴射口を開くことができる。
【００４０】
したがって、引き続き行われる尿素水ポンプ１１からの尿素水２６によって押圧された空気２７によって、図１１に示すように、第１高さ部Ａに溜まっていた尿素水２６がエンジン１３の排気ガス経路１４中に噴射される。その後、続いて供給される尿素水ポンプ１１から吐出される尿素水２６により、尿素水配管１６内に存在する空気２７がインジェクタ１５から排気ガス経路１４に放出され、これに続いて尿素水２６がインジェクタ１５から排気ガス経路１４に噴射される。したがって上述したように、選択還元触媒１２ａにおいて、排気ガス中のＮＯｘが無害なＮ２（窒素）とＨ２Ｏ（水）に分解される。
【００４１】
〔第１高さ部Ａに尿素水２６が溜まった状態となる第２の場合の処理動作〕
図１２に示すように、エンジン１３の停止に際して、尿素水配管１６の第１配管部分１６ａの第１高さ部Ａに尿素水２６が溜まっている状態において、エンジン１３が再始動し、尿素水ポンプ１１が始動すると、尿素水ポンプ１１の所定の吐出圧力により尿素水ポンプ１１から吐出された尿素水２６は、第２配管部分１６ｂ内の空気２７を押圧しながら第２高さ部Ｂに至る。これに伴って図１３に示すように、第１高さ部Ａに溜まっていた尿素水２６は尿素水ポンプ１１からの尿素水２６によって押圧された空気２７によって、第１配管部分１６ａの内壁を伝わってインジェクタ１５方向に押し上げられる。これにより、上述した第１の場合と同様に、図１４に示すように、インジェクタ１５の析出した尿素結晶２５に尿素水２６が染み込んで染み込み部２５ａが形成され、尿素結晶２５が溶かされ、インジェクタ１５の塞がれ傾向にあった噴射口を開くことができる。その後引き続いて行われる処理動作は、上述した第１の場合と同様である。
【００４２】
以上のように第１実施形態は、尿素水ポンプ１１とインジェクタ１５とを連絡する尿素水配管１６を、インジェクタ１５から上流に向かって緩やかに下降し、最下部を形成する第１高さ部Ａを有する第１配管部分１６ａと、インジェクタ１５に尿素結晶２５が析出した状態における尿素水ポンプ１１の始動に際して、尿素水ポンプ１１から吐出された尿素水２６の供給可能な位置である第２高さ部Ｂを有し、第１配管部分１６ａの第１高さ部Ａに連通する第２配管部分１６ｂを含む屈曲形状に形成したことから、尿素水ポンプ１１とインジェクタ１５とを連絡する尿素水配管１６が、供給経路と戻り経路とが同一経路を形成する１本の配管から成るものにあって、尿素水ポンプ１１の始動に際して、尿素水ポンプ１１から吐出された尿素水２６をインジェクタ１５の析出した尿素結晶２５に染み込ませることができる。これにより第１実施形態は、インジェクタ１５の塞がれ傾向にあった噴射口を開くことができ、インジェクタ１５からエンジン１３の排気ガス経路１４に尿素水２６を噴射させることができる。
【００４３】
また、この第１実施形態は、尿素水配管１６の第１配管部分１６ａをインジェクタ１５を起点として上流に向かって緩やかに下降して第１高さ部Ａを最下部とする形態としたことから、エンジン１３の停止時にインジェクタ１５付近に尿素水２６が存在する場合には、その尿素水を第１高さ部Ａ方向に自重で下降させることができる。これにより、寒冷地にあってインジェクタ１５付近に尿素水２６が溜まって凍結することを防止できる。
【００４４】
また、この第１実施形態は、尿素水配管１６を屈曲形状に形成したことから、尿素水ポンプ１１とインジェクタ１５の間隔を比較的小さくすることができる。これにより、尿素水ポンプ１１と尿素水配管とインジェクタ１５とを含む部分を、コンパクトな構成とすることができる。また、この第１実施形態は、尿素水配管１６が樹脂製のホースであることから、第１高さ部Ａを有し、第１所定長さ寸法Ｌ１の第１配管部分１６ａ、及び第２高さ部Ｂを有し、第２所定長さ寸法Ｌ２の第２配管部分１６ｂを容易に形成することができる。
【００４５】
図１６に示す第２実施形態及び図１７に示す第３実施形態のそれぞれは、尿素水配管１６を温める加温手段を備えている。その他の構成は第１実施形態と同等である。
【００４６】
図１６に示す第２実施形態は、加温手段を、エンジン１３の冷却によって温められた温水が導かれるエンジン冷却水回路２０と、このエンジン冷却水回路２０内における温水の流れを選択的に許容させ、あるいは停止させる冷却水バルブ２１とによって構成してある。また例えば、尿素水配管１６と、この尿素水配管１６を温めるエンジン冷却回路２０の部分とは、１つの複合ホース内に互いに接触させるようにして収容してある。
【００４７】
この第２実施形態によれば、寒冷地において尿素水配管１６内に凍結した尿素水２６を、エンジン冷却回路２０を流れる温水によって温めて解凍することができ、尿素水ポンプ１１の始動時に尿素水２６を吐出させる際に、尿素水配管１６内に凍結した尿素水２６の影響を受けずに、尿素水２６をインジェクタ１５の析出した尿素結晶２５に染み込ませることができる。その他の作用効果は第１実施形態と同等である。
【００４８】
図１７に示す第３実施形態は、加温手段を電熱線２２によって構成してあり、この電熱線２２を第１高さ部Ａの近傍に位置する第１配管部分１６ａの一部、及び第２配管部分１６ｂの一部のそれぞれに対向するように配置してある。
【００４９】
この第３実施形態によれば、寒冷地において第１高さ部Ａの部分において凍結した尿素水２６を、電熱線２２によって温めて解凍することができ、尿素水ポンプ１１の始動時に尿素水２６を噴射させる際に、第１高さ部Ａにおいて凍結した尿素水２６の影響を受けずに、尿素水２６をインジェクタ１５の析出した尿素水結晶２５に染み込ませることができる。その他の作用効果は、第１実施形態と同等である。
【符号の説明】
【００５０】
１    走行体
２    旋回体（車体）
３    作業装置
９    エンジン室
１０    尿素水タンク
１１    尿素水ポンプ
１２    後処理装置
１２ａ  選択還元触媒
１３    エンジン
１４    排気ガス経路
１５    インジェクタ
１６    尿素水配管
１６ａ  第１配管部分
１６ｂ  第２配管部分
２０    エンジン冷却水回路（加温手段）
２１    冷却水バルブ（加温手段）
２２    電熱線（加温手段）
２５    尿素結晶
２５ａ  染み込み部
２６    尿素水
２７    空気
α    第１所定角度
β    第２所定角度
Ａ    第１高さ部
Ｂ    第２高さ部
Ｌ１  第１所定長さ寸法
Ｌ２  第２所定長さ寸法
【図１】
2015206299.tif 000003
【図２】
2015206299.tif 000004
【図３】
2015206299.tif 000005
【図４】
2015206299.tif 000006
【図５】
2015206299.tif 000007
【図６】
2015206299.tif 000008
【図７】
2015206299.tif 000009
【図８】
2015206299.tif 000010
【図９】
2015206299.tif 000011
【図１０】
2015206299.tif 000012
【図１１】
2015206299.tif 000013
【図１２】
2015206299.tif 000014
【図１３】
2015206299.tif 000015
【図１４】
2015206299.tif 000016
【図１５】
2015206299.tif 000017
【図１６】
2015206299.tif 000018
【図１７】
2015206299.tif 000019